(57)【要約】【課題】浴槽水との接触による故障を抑制することができる水位検知装置を提供する。【解決手段】水位検知装置１００は外側ケース１０と、内側ケース２０と、圧力センサ３０と、内側管５０と、出力信号線７０と、外側管４０とを備えている。外側ケース１０は浴槽に貯められた水を受け入れ可能な受水室１０ａを有する。内側ケース２０は受水室１０ａと区隔された第１の内部空間ＩＳ１を有し、かつ外側ケース１０内に収容される。圧力センサ３０は第１の内部空間ＩＳ１に収容され、かつ受水室１０ａの水圧を検知可能なものである。内側管５０は第１の内部空間ＩＳ１に連通する第２の内部空間ＩＳ２を有し、かつ内側ケース２０に水密に接続される。出力信号線７０は圧力センサ３０に電気的に接続され、かつ第１の内部空間ＩＳ１から第２の内部空間ＩＳ２に伸びる。外側管４０は出力信号線７０が挿入された内側管５０を覆い、かつ外側ケース１０に接続される。【選択図】図１
2015206682.tif 000002
【特許請求の範囲】
【請求項１】
浴槽に取り付けられた状態で前記浴槽に貯められた水の水位を検知可能な水位検知装置であって、
前記浴槽に貯められた水を受け入れ可能な受水室を有する外側ケースと、
前記受水室と区隔された第１の内部空間を有し、かつ前記外側ケース内に収容された内側ケースと、
前記第１の内部空間に収容され、かつ前記受水室の水圧を検知可能な圧力センサと、
前記第１の内部空間に連通する第２の内部空間を有し、かつ前記内側ケースに水密に接続された内側管と、
前記圧力センサに電気的に接続され、かつ前記第１の内部空間から前記第２の内部空間に伸びる出力信号線と、
前記出力信号線が挿入された前記内側管を覆い、かつ前記外側ケースに接続された外側管とを備えた、水位検知装置。
【請求項２】
前記内側ケースと前記内側管とを水密に接続するために、前記内側ケースと前記内側管との間に取り付けられた内側管封止部材をさらに備えた、請求項１に記載の水位検知装置。
【請求項３】
前記外側ケースに前記内側ケースを水密に収容するために、前記外側ケースと前記内側ケースとの間に取り付けられた内側封止部材をさらに備えた、請求項１または２に記載の水位検知装置。
【請求項４】
前記内側管は、前記内側ケースに接続されたアダプタと、前記アダプタに接続されたホースとを含む、請求項１〜３のいずれか１項に記載の水位検知装置。
【請求項５】
前記外側ケースは、
前記外側管に接続された第１の筒状部材と、
前記第１の筒状部材に螺合され、かつ前記第１の筒状部材に対して移動可能な第２の筒状部材とを含む、請求項１〜４のいずれか１項に記載の水位検知装置。
【発明の詳細な説明】
【技術分野】
【０００１】
本発明は、水位検知装置に関し、特に、浴槽に取り付けられた状態で浴槽に貯められた水の水位を検知可能な水位検知装置に関するものである。
【背景技術】
【０００２】
従来、業務用風呂装置においては、浴槽に配した湯張り用の水栓を介在してボイラーから浴槽に湯が供給されるものがある。また、浴槽に供給された湯の水位が水位検知装置（水位センサ）によって検知されるものがある。この水位センサによって浴槽の湯の水位低下が検知されると設定水位まで浴槽に湯が供給される。
【０００３】
浴槽水の水位センサには浴槽に直接取り付けられるものがある。たとえば、特開２００８−１０００１８号公報（特許文献１）には、掛け流し式の浴槽に設置された水位センサが開示されている。具体的には、この水位センサとして、浴槽内側の側面に取り付けられ、浴槽水の水圧の変化によって水位を検知する電子式水位制御装置が記載されている。また、たとえば、特開平３−１３８２４号公報（特許文献２）には、循環加熱式の浴槽に設置された水位センサが開示されている。具体的には、浴槽に固定されたアダプタ本体に水位センサが設けられている。この水位センサとして、静電容量式の圧力センサが記載されている。
【先行技術文献】
【特許文献】
【０００４】
【特許文献１】特開２００８−１０００１８号公報
【特許文献２】特開平３−１３８２４号公報
【発明の概要】
【発明が解決しようとする課題】
【０００５】
業務用風呂装置においては、水位センサは、浴槽が配置された現場において浴槽に取り付けられる。このため、浴槽の配置および形状などによって水位センサの水密を確保できないことがある。また、業務用風呂装置では、水位センサと浴槽との隙間に浴槽水が漏れ出したり、浴槽外側のモルタルに浴槽水が浸み出したりすることがある。したがって、水位センサの水密が確保されていない状態で、これらの浴槽水が水位センサの電気配線に接触することによって、水位センサが故障することがある。
【０００６】
本発明は上記課題を鑑みてなされたものであり、その目的は、浴槽水との接触による故障を抑制することができる水位検知装置を提供することである。
【課題を解決するための手段】
【０００７】
本発明の水位検知装置は、浴槽に取り付けられた状態で浴槽に貯められた水の水位を検知可能なものである。水位検知装置は外側ケースと、内側ケースと、圧力センサと、内側管と、出力信号線と、外側管とを備えている。外側ケースは浴槽に貯められた水を受け入れ可能な受水室を有する。内側ケースは受水室と区隔された第１の内部空間を有し、かつ外側ケース内に収容される。圧力センサは第１の内部空間に収容され、かつ受水室の水圧を検知可能なものである。内側管は第１の内部空間に連通する第２の内部空間を有し、かつ内側ケースに水密に接続される。出力信号線は圧力センサに電気的に接続され、かつ第１の内部空間から第２の内部空間に伸びる。外側管は出力信号線が挿入された内側管を覆い、かつ外側ケースに接続される。
【０００８】
本発明の水位検知装置によれば、内側管が内側ケースに水密に接続されているため、内側管を覆う外側管の内部に浴槽水が流入しても内側管の第２の内部空間の水密を確保することができる。このため、内側管に挿入された出力信号線が浴槽水に接触することによって水位検知装置が故障することを抑制することができる。
【０００９】
上記の水位検知装置は、内側ケースと内側管とを水密に接続するために、内側ケースと内側管との間に取り付けられた内側管封止部材をさらに備えている。このため、内側管封止部材によって内側ケースと内側管との隙間から内側管の第２の内部空間に浴槽水が流入することを防止することができる。
【００１０】
上記の水位検知装置は、外側ケースに内側ケースを水密に収容するために、外側ケースと内側ケースとの間に取り付けられた内側封止部材をさらに備えている。このため、内側封止部材によって外側ケースと内側ケースとの隙間から内側ケースの第１の内部空間に浴槽水が流入することを防止することができる。これにより、圧力センサが浴槽水に接触することによって水位検知装置が故障することを抑制することができる。
【００１１】
上記の水位検知装置において、内側管は、内側ケースに接続されたアダプタと、アダプタに接続されたホースとを含んでいる。このため、アダプタによって、内側ケースに直接ホースを接続した場合よりも内側ケースの軸方向の長さ寸法を小さくすることができる。このため、内側ケースの材料コストを抑えることができる。これにより、生産性を向上させることができる。
【００１２】
上記の水位検知装置において、外側ケースは、外側管に接続された第１の筒状部材と、第１の筒状部材に螺合され、かつ第１の筒状部材に対して移動可能な第２の筒状部材とを含んでいる。このため、第１の筒状部材に対して第２の筒状部材を移動させることによって、第２の筒状部材の位置を調整することができる。これにより、浴槽の内壁に第２の筒状部材を正確に位置合わせすることができる。
【発明の効果】
【００１３】
以上説明したように、本発明によれば、浴槽水との接触による故障を抑制することができる。
【図面の簡単な説明】
【００１４】
【図１】本発明の一実施の形態における水位検知装置の構成を概略的に示す断面斜視図である。
【図２】本発明の一実施の形態における水位検知装置の構成を概略的に示す分解斜視図である。
【図３】図１のＰ部の構成を概略的に示す断面図である。
【図４】本発明の一実施の形態における水位検知装置が浴槽に取り付けられた状態を示す断面図である。
【発明を実施するための形態】
【００１５】
以下、本発明の実施の形態について図に基づいて説明する。
まず、図１および図２を参照して、本発明の一実施の形態における水位検知装置１００の構成について説明する。本実施の形態の水位検知装置１００は、浴槽に取り付けられた状態で浴槽に貯められた水の水位を検知可能なものである。
【００１６】
本実施の形態の水位検知装置１００は、外側ケース１０と、内側ケース２０と、圧力センサ３０と、外側管４０と、内側管５０と、ウォーターカッター６０と、出力信号線７０と、内側管封止部材８０と、内側封止部材９０と、外側封止部材９１と、シール部材９２とを主に有している。
【００１７】
外側ケース１０内に内側ケース２０が収容されている。内側ケース２０の内部に圧力センサ３０が収容されている。外側ケース１０に外側管４０が接続されている。内側ケース２０に内側管５０が接続されている。外側管４０の外側ケース１０と反対側の端部にはウォーターカッター６０が接続されている。圧力センサ３０には出力信号線７０が電気的に接続されている。
【００１８】
外側ケース１０は、第１の筒状部材１１と、第２の筒状部材１２と、目皿１３と、固定部材１４とを有している。第１の筒状部材１１、第２の筒状部材１２、目皿１３、固定部材１４はそれぞれたとえばステンレス鋼で形成されている。
【００１９】
第１の筒状部材１１は第２の筒状部材１２側および外側管４０側にそれぞれ開口を有する筒状形状を有している。第１の筒状部材１１は、大径部１１ａと、小径部１１ｂと、大径部１１ａおよび小径部１１ｂをつなぐ壁部１１ｃとを有している。
【００２０】
第１の筒状部材１１の大径部１１ａに第２の筒状部材１２が取り付けられている。第１の筒状部材１１と第２の筒状部材１２とは螺合されている。具体的には第１の筒状部材１１の内周面に形成された雌ネジ部１１ｄと第２の筒状部材１２の外周面に形成された雄ネジ部１２ａとが螺合されている。第２の筒状部材１２は第１の筒状部材１１に対して移動可能に構成されている。つまり、第２の筒状部材１２の第１の筒状部材１１に対するネジ込み量を調節することによって第２の筒状部材１２を第１の筒状部材１１に対して移動させることができる。
【００２１】
第２の筒状部材１２は、浴槽の内壁に取り付けるためのフランジ部１２ｂを有している。フランジ部１２ｂは第２の筒状部材１２の径方向において第２の筒状部材１２から外方に延びている。フランジ部１２ｂの第１の筒状部材１１側の面が浴槽の内壁に取り付けられる。
【００２２】
第２の筒状部材１２は第１の筒状部材１１と反対側の端面に凹部１２ｃを有している。凹部１２ｃに目皿１３が嵌め込まれている。目皿１３は複数の貫通孔１３ａを有している。目皿１３は第２の筒状部材１２に複数のネジ１１０によって固定されている。
【００２３】
第２の筒状部材１２の内側に固定部材１４が配置されている。固定部材１４は円盤形状を有している。固定部材１４の外周は第２の筒状部材１２の内周に沿って配置されている。
【００２４】
外側ケース１０は浴槽に貯められた水を受け入れ可能な受水室１０ａを有している。第１の筒状部材１１と、目皿１３と、固定部材１４とで囲まれた空間が受水室１０ａを構成している。受水室１０ａは目皿１３の複数の貫通孔１３ａから浴槽水を受け入れ可能に構成されている。
【００２５】
第１の筒状部材１１の内部に内側ケース２０が配置されている。固定部材１４に対して受水室１０ａと反対側に内側ケース２０は配置されている。内側ケース２０は、受水室１０ａと区隔された第１の内部空間ＩＳ１を有している。
【００２６】
内側ケース２０は、大径部２１と、小径部２２と、大径部２１および小径部２２をつなぐ壁部２３と、大径部２１の径方向において大径部２１から外方に伸びるフランジ部２４とを有している。
【００２７】
内側ケース２０に大径部２１の開口を覆うように固定部材１４が取り付けられている。固定部材１４は内側ケース２０に複数のネジ１２０によって固定されている。固定部材１４と内側ケース２０との間に内側封止部材９０が配置されている。内側封止部材９０は、外側ケース１０に内側ケース２０を水密に収容するために、外側ケース１０と内側ケース２０との間に取り付けらている。内側封止部材９０は固定部材１４と内側ケース２０との隙間を封止可能に構成されている。内側封止部材９０は内側ケース２０の外壁に設けられた凹部２５内に配置されている。凹部２５は固定部材１４の内側ケース２０側の面に対向するように設けられている。内側封止部材９０はたとえばゴム製のＯリングである。
【００２８】
内側ケース２０の小径部２２は外側ケース１０の小径部１１ｂに挿入されている。内側ケース２０の壁部２３と外側ケース１０の壁部１１ｃとの間に外側封止部材９１が配置されている。外側封止部材９１は内側ケース２０の壁部２３と外側ケース１０の壁部１１ｃとの隙間を封止可能に構成されている。外側封止部材９１は外側ケース１０の壁部１１ｃの内壁に設けられた凹部１１ｅ内に配置されている。凹部１１ｅは内側ケース２０の壁部２３の外壁に対向するように設けられている。外側封止部材９１はたとえばゴム製のＯリングである。
【００２９】
内側ケース２０のフランジ部２４に設けられた貫通孔に挿入されたネジ１３０によって、内側ケース２０は外側ケース１０に固定されている。内側ケース２０はたとえばステンレス鋼で形成されている。
【００３０】
圧力センサ３０は、第１の内部空間ＩＳ１に収容されている。圧力センサ３０は受水室１０ａの水圧を検知可能に構成されている。圧力センサ３０の構成は後で詳しく説明する。圧力センサ３０は、固定部材１４にネジ１４０によって固定されている。固定部材１４の中央に形成された貫通孔１４ａに圧力センサ３０の先端部が挿入されている。圧力センサ３０の先端部と貫通孔１４ａとの間にシール部材９２が配置されている。シール部材９２は圧力センサ３０の先端部と貫通孔１４ａとの隙間を封止可能に構成されている。シール部材９２はたとえばゴム製のＯリングである。
【００３１】
外側ケース１０の小径部１１ｂに外側管４０の一方端部４１が接続されている。外側ケース１０の小径部１１ｂと外側管４０の一方端部４１とは螺合されている。具体的には小径部１１ｂの内周面に形成された雌ネジ部１１ｆと一方端部４１の外周面に形成された雄ネジ部４０ａとが螺合されている。外側管４０はたとえば樹脂で形成されている。外側管４０は内側管５０を覆っている。外側管４０の径方向において外側管４０と内側管５０とは離れて配置されている。
【００３２】
内側ケース２０の小径部２２に内側管５０が接続されている。内側管５０は、第１の内部空間ＩＳ１に連通する第２の内部空間ＩＳ２を有している。内側管５０に出力信号線７０が挿入されている。
【００３３】
内側管５０は内側ケース２０に水密に接続されている。内側ケース２０の小径部２２と内側管５０とは螺合されている。具体的には小径部２２の内周面に形成された雌ネジ部２０ａと内側管５０の外周面に形成された雄ネジ部５０ａとが螺合されている。
【００３４】
内側ケース２０と内側管５０とを水密に接続するために、内側ケース２０と内側管５０との間に内側管封止部材８０が取り付けられている。具体的には、内側管封止部材８０は内側ケース２０の小径部２２の雌ネジ部２０ａと内側管５０の雄ネジ部５０ａとの間に配置されている。内側管封止部材８０はたとえばシールテープである。この場合、内側管５０の雄ネジ部５０ａの外周面にシールテープを巻いた状態で雄ネジ部５０ａを雌ネジ部２０ａにネジ込むことで内側管封止部材８０によって雄ネジ部５０ａと雌ネジ部２０ａとの隙間を封止することができる。
【００３５】
なお、外側ケース１０と外側管４０との接続においても同様にシールテープなどの封止部材を用いることもできる。つまり、雄ネジ部４０ａの外周面にシールテープを巻いた状態で小径部１１ｂの雌ネジ部１１ｆにネジ込むことで封止部材によって雄ネジ部４０ａと雌ネジ部１１ｆとの隙間を封止することができる。
【００３６】
内側管５０は、アダプタ５１と、ホース５２とを有している。アダプタ５１は内側ケース２０に接続されている。ホース５２はアダプタ５１に接続されている。具体的にはアダプタ５１の挿入部５１ａにホース５２が外挿されて接続されている。アダプタ５１の挿入部５１ａは複数の突起部を有している。複数の突起部のそれぞれには返しが形成されている。具体的には、挿入部５１ａの一端側（挿入部５１ａのホース５２に向かって挿入される側）の突起部の傾斜角度は、一端側に対向する後端側の突起部の傾斜角度よりも小くなっている。このため、アダプタ５１からホース５２が脱落することを抑制することができる。なお、アダプタ５１はたとえば真ちゅうで形成されている。またホース５２にはビニールホース、シャワーホースなどを用いることができる。
【００３７】
外側管４０の他方端部４２にウォーターカッター６０が接続されている。ウォーターカッター６０は外側ケース１０側から流入した浴槽水を留めるためのものである。ウォーターカッター６０は、管部６１と、円盤部６２とを有している。管部６１の内側に外側管４０が挿入されている。管部６１の内周面に外側管４０の他方端部４２の外周面が嵌合されている。円盤部６２は管部６１の外周面から管部６１の径方向に突出している。円盤部６２は管部６１の周方向の全周にわたって設けられている。
【００３８】
出力信号線７０は、圧力センサ３０に電気的に接続されている。出力信号線７０は、第１の内部空間ＩＳ１から第２の内部空間ＩＳ２に伸びている。出力信号線７０は、第１の信号線７１と、第２の信号線７２とを有している。第１の信号線７１は第１の接続部７１ａを有している。第２の信号線７２は第２の接続部７２ａを有している。第１の信号線７１は圧力センサ３０に電気的に接続されている。第１の接続部７１ａに第２の接続部７２ａが接続されることで第１の信号線７１と第２の信号線７２とが接続される。出力信号線７０はたとえば３芯の信号線を用いることができる。出力信号線７０は芯を保護するための保護被覆を有している。出力信号線７０はネジ１５０によってクランプ１６０を介して内側ケース２０に固定されている。
【００３９】
続いて、図１および図３を参照して、本実施の形態における水位検知装置の圧力センサ３０の構成について詳しく説明する。図３では、図１のＰ部が示されている。このＰ部は圧力センサ３０のセンサ素子を形成している。圧力センサ３０は、内側ケース２０の第１の内部空間ＩＳ１内の気圧と、浴槽の湯水の圧力との差圧を検知可能に構成されている。本実施の形態の圧力センサは、ケース３０ａと、ダイヤフラム３０ｂとを主に有している。ケース３０ａは図中矢印方向から流入する湯水を受け入れ可能な受け入れ口３０ｃと、受け入れ口３０ｃからダイヤフラム３０ｂに通じる貫通孔３０ｄとを有している。ケース３０ａはダイヤフラム３０ｂで仕切られた第１の室Ｓ１と、第２の室Ｓ２とを有している。第１の室Ｓ１の第１の圧力Ｐ１は内側ケース２０の第１の内部空間ＩＳ１内の気圧となる。第２の室Ｓ２の第２の圧力Ｐ２は流入する湯水の圧力となる。第１の圧力Ｐ１と第２の圧力Ｐ２の差圧によって浴槽の湯水の圧力が検出される。ここで浴槽の湯水の圧力は、浴槽の湯水の水圧と浴槽の気圧との合計の圧力となる。
【００４０】
ダイヤフラム３０ｂは、第１の圧力Ｐ１と第２の圧力Ｐ２との差圧により第１の室Ｓ１側に凸状に変形可能に構成されている。ダイヤフラム３０ｂには、たとえば不純物拡散によりゲージが形成されている。ゲージは、平面視におけるダイヤフラム３０ｂの中心から９０度ずつ回転した位置に４箇所形成されていてもよい。この場合、４個のゲージは同一方向に短冊状に並んで形成されていてもよい。これらの４個のゲージはホイーストンブリッジ回路を構成するように結線されている。このホイーストンブリッジ回路に電圧を印加すると、ダイヤフラム３０ｂの変形により４個のゲージの抵抗が変動するため、電圧値が変動する。したがって、圧力センサ３０は、ダイヤフラム３０ｂの変形に応じた電圧値の変動に基づいて圧力を検知することができる。
【００４１】
次に、図４を参照して、本実施の形態における水位検知装置１００が浴槽２００に取り付けられた状態について説明する。なお、図４では、見やすくするため、水位検知装置１００についてはその側面が示されている。
【００４２】
図４を参照して、浴槽２００は浴槽２００の内壁で囲まれた内側領域を有している。浴槽２００は内側領域に湯水を貯留可能に構成されている。また、浴槽２００の内部に防水層２０１が形成されている。この防水層２０１は浴槽２００の内壁に沿って形成されている。つまり、防水層２０１は浴槽２００の底部から側壁にわたって形成されている。図４では浴槽２００の内側領域に湯水３００が貯められている状態が示されている。
【００４３】
浴槽２００の側壁に水位検知装置１００が取り付けられている。浴槽２００の内壁側に第２の筒状部材１２が配置され、浴槽２００の外壁側に外側管４０が配置されている。外側ケース１０の第２の筒状部材１２の先端部は浴槽２００の内側領域に配置されている。つまり、浴槽２００の内壁に第２の筒状部材１２が配置されている。
【００４４】
ウォーターカッター６０は防水層２０１に取り付けられている。具体的には、管部６１は防水層２０１を貫通している。この状態で円盤部６２は防水層２０１の外側の面に沿って防水層２０１に取り付けられている。
【００４５】
ウォーターカッター６０には保護管１５０が接続されている。外側管４０からウォーターカッター６０の内側を経由して保護管１５０の内側に内側管５０が伸びている。内側管５０は保護管１５０を通って浴槽２００の外側に引き出されており、内側管５０に挿入された出力信号線７０が制御部４００に電気的に接続されている。制御部４００は図示しない湯水の供給部にも電気的に接続されている。制御部４００は水位検知装置１００および供給部を制御可能に構成されている。
【００４６】
制御部４００は、水位検知装置１００によって検知された水位があらかじめ設定された設定水位よりも低い場合には、水位検知装置１００からの信号に基づいて、図示しない供給部から湯水３００を浴槽２００に供給するよう供給部を制御する。これにより、浴槽２００に湯水３００が供給される。そして、水位検知装置１００によって浴槽２００の湯水３００が設定水位に到達したことが検知されるまで湯水３００が浴槽２００に供給される。
【００４７】
次に、本実施の形態の水位検知装置の作用効果について説明する。
本実施の形態の水位検知装置１００によれば、内側管５０が内側ケース２０に水密に接続されているため、内側管５０を覆う外側管４０の内部に浴槽水が流入しても内側管５０の第２の内部空間ＩＳ２の水密を確保することができる。このため、内側管５０に挿入された出力信号線７０が浴槽水に接触することによって水位検知装置１００が故障することを抑制することができる。
【００４８】
本実施の形態の水位検知装置１００では、内側管封止部材８０によって内側ケース２０と内側管５０との隙間から内側管５０の第２の内部空間ＩＳ２に浴槽水が流入することを防止することができる。
【００４９】
本実施の形態の水位検知装置１００では、内側封止部材９０によって外側ケース１０と内側ケース２０との隙間から内側ケース２０の第１の内部空間ＩＳ１に浴槽水が流入することを防止することができる。これにより、圧力センサ３０が浴槽水に接触することによって水位検知装置１００が故障することを抑制することができる。
【００５０】
本実施の形態の水位検知装置１００では、アダプタ５１によって、内側ケース２０に直接ホース５２を接続した場合よりも内側ケース２０の軸方向の長さ寸法を小さくすることができる。このため、内側ケース２０の材料コストを抑えることができる。これにより、生産性を向上させることができる。
【００５１】
本実施の形態の水位検知装置１００では、第１の筒状部材１１に対して第２の筒状部材１２を移動させることによって、第２の筒状部材１２の位置を調整することができる。これにより、浴槽の内壁に第２の筒状部材１２を正確に位置合わせすることができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１０  外側ケース、１０ａ  受水室、１１  第１の筒状部材、１２  第２の筒状部材、１３  目皿、１４  固定部材、２０  内側ケース、３０  圧力センサ、４０  外側管、５０  内側管、５１  アダプタ、５２  ホース、６０  ウォーターカッター、７０  出力信号線、８０  内側管封止部材、９０  内側封止部材、９１  外側封止部材、９２  シール部材、１００  水位検知装置、２００  浴槽、３００  湯水、４００  制御部、ＩＳ１  第１の内部空間、ＩＳ２  第２の内部空間。
【図１】
2015206682.tif 000003
【図２】
2015206682.tif 000004
【図３】
2015206682.tif 000005
【図４】
2015206682.tif 000006